(57)【特許請求の範囲】
【請求項１】
イヤホンとプラグとの間を接続する音声信号用の被覆線と、前記プラグを保持する保持部材と、この保持部材と前記イヤホンとの間に配置された操作部材と、前記保持部材に保持され、前記操作部材から信号を引き出すための接続部材とを備え、前記イヤホンと前記操作部材との間から、前記操作部材と前記保持部材との間に位置する前記被覆線、及び前記接続部材を覆うように外装部材が設けられ、この外装部材が柔軟性を有し、前記操作部材の幅より大きい、又は同等の幅で形成されたことを特徴とするリモコン装置。
【請求項２】
前記外装部材が前記操作部材から前記保持部材にわたって形成されたことを特徴とする請求項１記載のリモコン装置。
【請求項３】
前記外装部材内には、前記被覆線と前記接続部材を支持する支持部材が設けられたことを特徴とする請求項１、又は２記載のリモコン装置。
【請求項４】
前記接続部材が帯状のフレキシブル絶縁体と、このフレキシブル絶縁体上に設けられた導電体とで形成され、前記フレキシブル絶縁体と前記導電体の一部が前記保持部材の一端から突出して、音響機器への接続部が設けられたことを特徴とする請求項１から３の何れかに記載のリモコン装置。
【請求項５】
前記操作部材は、プッシュ型のスイッチで構成され、前記フレキシブル絶縁体上に設けられた前記導電体の一部で、前記スイッチの固定接点を形成したことを特徴とする請求項４記載のリモコン装置。
【請求項６】
前記支持部材には、前記スイッチの可動接点が設けられ、この可動接点を前記固定接点に対向させたことを特徴とする請求項５記載のリモコン装置。
【請求項７】
前記可動接点を覆うように前記外装部材が設けられ、前記外装部材が前記可動接点と対向する位置を押圧、解放することにより、前記スイッチの接点の切換を行うようにしたことを特徴とする請求項６記載のリモコン装置。
【請求項８】
前記外装部材が前記可動接点と対向する位置において、前記外装部材の外表面に目印を設けたことを特徴とする請求項７記載のリモコン装置。
【発明の詳細な説明】
【０００１】
【発明の属する技術分野】
本発明は、例えば、ミニディスク（ＭＤ）装置と一般的に呼称されているような携帯用音響機器のリモコン装置（リモートコントロール装置）に係り、特に、ファッション性を持たせることができると共に、破損が少なく、生産性の良好なものを提供するものである。
【０００２】
【従来の技術】
従来の携帯用音響機器に使用されるリモコン装置を図３に基づいて説明すると、携帯用音響機器３１は、十字方向の位置でシーソー動作可能で、スイッチ（図示せず）を操作する操作部３２を有し、この操作部３２により、例えば、ディスクの再生と停止、及びスキップ（一曲飛び越し）とバックスキップ（一曲逆戻り）を行うようになっている。
また、リモコン装置Ｒ２は、合成樹脂の成型品からなる箱形のケース３３と、ケース３３から露出され、前記操作部３２と同様に、十字方向の位置でシーソー動作可能で、スイッチ（図示せず）を操作する操作部３４とからなる操作部材Ｓ２を有する。
また、リモコン装置Ｒ２は、ケース３３に取り付けられた音声信号用の丸紐状の被覆線３５と、被覆線３５の一端部に接続されたイヤホン３６と、ケース３３に取り付けられ、一端にプラグ３７を設けた丸紐状の被覆線３８とを有して構成されており、また、被覆線３８は、音声信号用と操作部材Ｓ２からの信号を引き出す被覆線（図示せず）とが一体となって形成されている。
そして、操作部３４によって、携帯用音響機器３１の設けられた操作部３２と同様の操作が行えるようになっている。
【０００３】
そして、このリモコン装置Ｒ２は、プラグ３７が携帯用音響機器３１のジャック部に差し込み、取り外し可能となっており、プラグ３７をジャック部に差し込むことによって、リモコン装置Ｒ２が携帯用音響機器３１に接続される。
また、このような携帯用音響機器３１の使用は、携帯用音響機器３１をポケット、或いはバッグに入れると共に、操作部材Ｓ２を胸ポケット等に入れた状態で、イヤホン３６を耳に付けて使用される。
そして、リモコン装置Ｒ２を操作する時は、胸ポケット等から操作部材Ｓ２を取り出して操作部３４を操作するものである。
【０００４】
【発明が解決しようとする課題】
従来のリモコン装置は、操作部材Ｓ２をポケット等に入れると共に、被覆線３５，３８が丸紐状で形成されているため、特に、丸紐状の被覆線３５，３８への細工が困難で、ファッション性を持たせることができないという問題がある。
また、操作部材Ｓ２は、操作の度にポケット等から出し入れせねばならず、その操作が煩わしく、面倒であるという問題がある。
【０００５】
また、操作部材Ｓ２をポケット等から出し入れする度に、被覆線３５，３８の操作部材Ｓ２への取付箇所において、折り曲がりと伸ばしの繰り返しが生じて、疲労を早め、被覆線３５，３８が早期に断線する等の問題がある。
また、操作部材Ｓ２には、被覆線３５と音声信号用と引出用の被覆線３８とを半田付け接続を行うため、その作業が面倒で、コスト高になるという問題がある。
【０００６】
そこで、本発明は、ファッション性を持たせることができると共に、長期の使用に耐え、安価なリモコン装置を提供することを目的とする。
【０００７】
【課題を解決するための手段】
上記課題を解決するための第１の解決手段として、イヤホンとプラグとの間を接続する音声信号用の被覆線と、前記プラグを保持する保持部材と、この保持部材と前記イヤホンとの間に配置された操作部材と、前記保持部材に保持され、前記操作部材から信号を引き出すための接続部材とを備え、前記イヤホンと前記操作部材との間から、前記操作部材と前記保持部材との間に位置する前記被覆線、及び前記接続部材を覆うように外装部材が設けられ、この外装部材が柔軟性を有し、前記操作部材の幅より大きい、又は同等の幅で形成された構成とした。
【０００８】
また、第２の解決手段として、前記外装部材が前記操作部材から前記保持部材にわたって形成された構成とした。
また、第３の解決手段として、前記外装部材内には、前記被覆線と前記接続部材を支持する支持部材が設けられた構成とした。
また、第４の解決手段として、前記接続部材が帯状のフレキシブル絶縁体と、このフレキシブル絶縁体上に設けられた導電体とで形成され、前記フレキシブル絶縁体と前記導電体の一部が前記保持部材の一端から突出して、音響機器への接続部が設けられた構成とした。
【０００９】
また、第５の解決手段として、前記操作部材は、プッシュ型のスイッチで構成され、前記フレキシブル絶縁体上に設けられた前記導電体の一部で、前記スイッチの固定接点を形成した構成とした。
また、第６の解決手段として、前記支持部材には、前記スイッチの可動接点が設けられ、この可動接点を前記固定接点に対向させた構成とした。
【００１０】
また、第７の解決手段として、前記可動接点を覆うように前記外装部材が設けられ、前記外装部材が前記可動接点と対向する位置を押圧、解放することにより、前記スイッチの接点の切換を行うようにした構成とした。
また、第８の解決手段として、前記外装部材が前記可動接点と対向する位置において、前記外装部材の外表面に目印を設けた構成とした。
【００１１】
【発明の実施の形態】
本発明のリモコン装置の図面を説明すると、図１は本発明のリモコン装置の一部を切断した斜視図、図２は本発明のリモコン装置の要部を切断して拡大した斜視図である。
【００１２】
次に、携帯用音響機器に使用される本発明のリモコン装置の構成を図１、図２に基づいて説明すると、リモコン装置Ｒ１は、合成樹脂の成型品からなる保持部材１と、この保持部材１に取り付けられ、携帯用音響機器のジャック部に接続されるプラグ２と、このプラグ２に一端が接続された音声信号用の被覆線３と、この被覆線３の端部で二つに分かれたそれぞれに接続されたイヤホン４と、保持部材１に保持された接続部材５と、イヤホン４と保持部材１との間に設けられた操作部材Ｓ１と、被覆線３の一部と接続部材５の大部分を覆うように設けられた筒状の外装部材６とで形成されている。
【００１３】
また、接続部材５は、帯状のフレキシブル絶縁体５ａと、このフレキシブル絶縁体５ａに設けられた導電体５ｂとで形成され、この接続部材５は、一端の近傍が保持部材１に保持されて、フレキシブル絶縁体５ａと導電体５ｂの一部が保持部材１の一端から突出して、接続部５ｃが形成されている。
そして、この接続部５ｃは、携帯用音響機器のコネクタ（図示せず）に接続されるようになっている。
【００１４】
また、操作部材Ｓ１は、合成樹脂の成型品からなり、二つ折り可能であると共に、複数個の孔７ａを有する支持部材７と、この支持部材７に埋設されて取り付けられ、それぞれの孔７ａ内に位置した可動接点８と、説俗部材５の導電体５ｂの一部で形成された固定接点（図示せず）と、外装部材６の一部で構成される操作部６ａとで構成されるプッシュ型のスイッチで形成されている。
そして、支持部材７は、二つ折りにされた時、その根本部分で被覆線３を挟持すると共に、二つの板状部でフレキシブル絶縁体５ａを挟持した状態で、二つの板状部を適宜手段により開かないように固定する。
【００１５】
この時、それぞれの可動接点８は、導電体５の一部で構成された固定接点と対向した状態となっており、可動接点８を押圧すると、可動接点８が支持部材７を支点として撓んで固定接点に接触し、また、可動接点８の押圧を解放すると、固定接点から離れるように、自己のバネ性により戻り、このような接点の切換が導電体５ｂを介して携帯用音響機器に送られるようになる。
【００１６】
また、外装部材６は、広幅の柔軟性のある材料で形成され、支持部材７を覆うと共に、操作部材Ｓ１から保持部材１間の被覆線３と接続部材５の外面を覆った状態で、この外装部材６の一端が保持部材１に取り付けられ、また、外装部材６は、操作部材Ｓ１とイヤホン４の間に位置する被覆線３３を覆うと共に、外装部材６の他端で被覆線３をしっかりと保持した状態となっている。
そして、この外装部材６が可動接点８と対向する外表面の部分には、記号等の目印９が施された操作部６ａが形成されている。
【００１７】
更に、外装部材６は、操作部材Ｓ１を構成する支持部材７よりも幅が広く形成されて、広幅となっており、この広幅の外装部材６の表面には、種々の模様等が施されており、これによって、ファッション性を持たせることができる。
また、図１において点線で示すように、ループ状の首掛け用の紐体１０を設けると共に、紐体１０の長さを調整する調整具１１を設けても良い。
【００１８】
このような構成を有するリモコン装置は、プラグ２と接続部５ｃが接続された携帯用音響機器をバッグ等に入れ、そして、紐体１０を首に掛けた状態でイヤホン４を耳に付け、更に、操作部材Ｓ１を設けた広幅の外装部材６を、体の正面等に垂らした状態で使用する。
そして、目印９の位置である操作部６ａを押圧すると、接点がＯＮとなって、例えば、ディスクの再生と停止、及びスキップ（一曲飛び越し）とバックスキップ（一曲逆戻り）等を行い、また、押圧を解放すると接点がＯＦＦとなるようになっている。
このように操作部材Ｓ１が外装部材６と共に露出状態で、操作が行えるようになるものである。
【００１９】
なお、この実施例では、外装部材６の一部で操作部６ａを構成したもので説明したが、支持部材７に押し釦部材を取付、この押し釦部材を外装部材６から露出させ、押し釦部材の押圧、解放により可動接点８を操作して、接点の切換を行うようにしても良い。
また、外装部材７は、操作部材Ｓ１の幅より大きい、又は等しくすれば、操作部材Ｓ１が幅方向に外装部材７から出っ張ることが無く、スッキリした形状となる。
【００２０】
【発明の効果】
本発明のリモコン装置は、イヤホン４と操作部材Ｓ１との間から、操作部材Ｓ１と保持部材１との間に位置する被覆線３、及び接続部材５を覆うように外装部材６が設けられ、この外装部材６が柔軟性を有し、操作部材Ｓ１の幅より大きい、又は同等の幅で形成されたため、外装部材６を広幅で形成することができると共に、模様等を施すことができ、ファッション性を持たせることができる。
また、操作部材Ｓ１は、外装部材６と共に露出させることができ、従来のようなポケットへの出し入れが無く、操作が容易となる。
【００２１】
また、操作部材Ｓ１は、外装部材６と共に露出させることができて、ポケットに出し入れすることが無く、疲労による被覆線３の断線が少なく、長期の使用に耐えるものである。
また、被覆線３と接続部材５が外装部材６により覆われているため、断線が少なく、一層、寿命の長いリモコン装置を提供できる。
【００２２】
また、外装部材６が操作部材Ｓ１から保持部材１にわたって形成されたため、バッグ等に出し入れする音響機器の近傍を外装部材６により補強されて、寿命の長いリモコン装置を提供できる。
【００２３】
また、外装部材６内には、被覆線３と接続部材５を支持する支持部材７が設けられたため、被覆線３と接続部材５が確実に支持され、外装部材６との位置の正確なものが得られる。
【００２４】
また、接続部材５が帯状のフレキシブル絶縁体５ａと、このフレキシブル絶縁体５ａ上に設けられた導電体５ｂとで形成され、フレキシブル絶縁体５ａと導電体５ｂの一部が保持部材１の一端から突出して、音響機器への接続部５ｃが設けられたため、接続部材５の一部で音響機器への接続部５ｃが形成できて、構成が簡単で、生産性の良好なものを提供できる。
【００２５】
また、操作部材Ｓ１は、プッシュ型のスイッチで構成され、フレキシブル絶縁体５ａ上に設けられた導電体５ｂの一部で、スイッチの固定接点を形成したため、接続部材５が操作部材Ｓ１の一部となり、従来のような半田付けが不要で、生産性が良く、安価なものを提供できる。
【００２６】
また、支持部材７には、スイッチの可動接点８が設けられ、この可動接点を固定接点に対向させたため、操作部材Ｓ１の構成が簡単で、安価なものが得られる。
【００２７】
また、可動接点８を覆うように外装部材６が設けられ、外装部材６が可動接点８と対向する位置を押圧、解放することにより、スイッチの接点の切換を行うようにしたため、外装部材６で操作部６ｃを兼用できて、薄型の操作部材Ｓ１を提供できる。
【００２８】
また、外装部材６が可動接点８と対向する位置において、外装部材６の外表面に目印９を設けたため、操作位置が明確となり、操作の確実なものを提供できる。
【図面の簡単な説明】
【図１】本発明のリモコン装置の一部を切断した斜視図。
【図２】本発明のリモコン装置の要部を切断して拡大した斜視図。
【図３】従来のリモコン装置の斜視図。
【符号の説明】
１  保持部材
２  プラグ
３  被覆線
４  イヤホン
５  接続部材
５ａ  フレキシブル絶縁体
５ｂ  導電体
５ｃ  接続部
６  外装部材
６ａ  操作部
７  支持部材
７ａ  孔
８  可動接点
９  目印
１０紐体
１１  調整具
Ｓ１  操作部材
Ｒ１  リモコン装置
【図１】
0003652576.tif 000002
【図２】
0003652576.tif 000003
【図３】
0003652576.tif 000004